(57)【要約】 
【課題】  交換可能に取り付けた造花等の装飾物をしっかりと固定でき、バッグ表面側で１つの開口部しか要さず、しかも見栄えのよいバッグを提供することを目的としている。
【解決手段】  バッグの外面を飾る装飾物(２)を、そのバッグの外面側(６)から差し込んで取り付けるための開口部(５)を形成し、かつ、バッグの内面側(７)には、前記開口部(５)より差し込まれた装飾物(２)を掛脱自在に掛止する掛止手段(８)を設けることにより、交換可能な装飾物を、しっかりと、見栄えよく固定する。
【選択図】  図１
0003101494.tif 000002
【実用新案登録請求の範囲】
【請求項１】
バッグの外面を飾る装飾物を、そのバッグの外面側から差し込んで取り付けるための開口部を形成し、かつ、バッグの内面側には、前記開口部より差し込まれた装飾物を掛脱自在に掛止する掛止手段を設けたことを特徴とするバッグ。
【請求項２】
前記装飾物は造花であって、前記開口部から、バッグ内面側にその茎部を差し込むとともに、茎部の被掛止部を掛止手段に掛止するものである請求項１記載のバッグ。
【請求項３】
前記掛止手段は、その一端をバッグ内面側に取り付けた帯状片と、帯状片の前記取り付け側と他端側に設けられた互いを係着した状態で保持する係着部からなり、前記装飾物の被掛止部を、帯状片で巻き付けるようにして帯状片を２つ折りにした状態で、前記係着部を互いに係着させて、装飾物を掛止手段に掛止するものである請求項第１又は２記載のバッグ。
【請求項４】
前記係着部は、凹部・凸部一対の押しホックとし、この凹部・凸部を互いに係着させて、装飾物を掛止手段に掛止するものである請求項３記載のバッグ。
【請求項５】
バッグの外側を形成する外装材において、少なくとも前記開口部周辺から掛止手段に向かう所定範囲にわたって、前記外装材の裏側に合成樹脂等をコーティングして補強するコーティング部を設けた請求項１〜４のいずれかに記載のバッグ。
【請求項６】
前記外装材において、前記開口部から掛止手段に向かう所定範囲にわたって、前記装飾物が差し込まれる部分にほぼ対応する範囲を縁取るようにライン状の模様を施した請求項１〜５のいずれかに記載のバッグ。
【請求項７】
前記ライン状の模様は、エンボスによる模様とした請求項６記載のバッグ。
【請求項８】
前記開口部をスリット状に形成した請求項１〜７のいずれかに記載のバッグ。
【請求項９】
バッグの内面側に裏地を設け、この裏地に、装飾物を外面側から差し込み可能な開口部と掛止手段を設け、かつ、少なくとも、裏地側開口部と掛止手段を含む範囲にわたって、合成皮革、皮革、布などを当接させて補強材とした請求項１〜８のいずれかに記載のバッグ。
【考案の詳細な説明】
【技術分野】
【０００１】
この考案は、造花や生花、ぬいぐるみ等の装飾物を交換可能に取り付けることのできるバッグに関する。
【背景技術】
【０００２】
バッグに造花等の装飾物を取り付けることは、従来から行われている。この装飾物を交換できるようにすることも行われていた。
【０００３】
例えば、特許文献１では、造花等の装飾物を、バッグ表面に設けたポケットに差し込んで取り付けられることが行われている。
【０００４】
また、特許文献２では、バッグに２個の穴を設け、その穴に通したリボンやテープ等を、バッグ内部で互いに結ぶなどの手段で、装飾物をバッグに固定することが行われている。
【０００５】
特許文献３では、バッグの表面側に装飾物の収納部を設け、バッグの表面側に押しホックからなる装着部を設けて、この装着部に装飾物を固定することが行われている。
【０００６】
【特許文献１】実公昭３７−２９４５１号公報
【特許文献２】実開平１−１３３４１６号公報
【特許文献３】特開平１０−４２９２７号公報（特許第２８９６１１９号）
【考案の開示】
【考案が解決しようとする課題】
【０００７】
しかしながら、造花等の装飾物をバッグ表面のポケットに差し込んでとめただけでは、装飾物はしっかり固定されているわけではなく、たやすく外れてしまう。
【０００８】
また、バッグに２個の穴を設け、その穴に通したリボンやテープを、バッグ内部で互いに結ぶなどしてやれば、装飾物はしっかり固定できるが、穴が１つの場合は、装飾物を固定できない。
【０００９】
バッグの表面側に収納部を設け、この表面側に押しホックの雄金からなる装着部を設けて、装飾物を装着するようにした場合は、装着部が表に露出して見え、見苦しく、邪魔になる。
【００１０】
この考案は、上記の不具合を解消して、交換可能に取り付けた造花や生花等の装飾物をしっかりと固定でき、バッグ表面側で１つの開口部しか要さず、しかも固定部はバッグ裏面側に設けられているため、見栄えのよいバッグを提供することを目的としている。
【課題を解決するための手段】
【００１１】
上記の課題を解決するため、この考案は、バッグの外面を飾る装飾物を、そのバッグの外面側から差し込んで取り付けるための開口部を形成し、かつ、バッグの内面側には、前記開口部より差し込まれた装飾物を掛脱自在に掛止する掛止手段を設けたことを特徴とする。
【００１２】
また、前記装飾物は造花であって、前記開口部から、バッグ内面側にその茎部を差し込むとともに、茎部の被掛止部を掛止手段に掛止するものである。
【００１３】
さらに、前記掛止手段は、その一端をバッグ内面側に取り付けた帯状片と、帯状片の前記取り付け側と他端側に設けられた互いを係着した状態で保持する係着部からなり、装飾物の被掛止部を、帯状片で巻き付けるようにして帯状片を２つ折りにした状態で、前記係着部を互いに係着させて、装飾物を掛止手段に掛止するものである。
【００１４】
前記係着部は、凹部・凸部一対の押しホックとし、この凹部・凸部を互いに係着させて、装飾物を掛止手段に掛止するものである。
【００１５】
さらに、バッグの外側を形成する外装材において、少なくとも前記開口部周辺から掛止手段に向かう所定範囲にわたって、前記外装材の裏側に合成樹脂等をコーティングして補強するコーティング部を設けた。
【００１６】
また、前記外装材において、前記開口部から掛止手段に向かう所定範囲にわたって、前記装飾物が差し込まれる部分にほぼ対応する範囲を縁取るようにライン状の模様を施した。
【００１７】
更に、前記ライン状の模様は、エンボスによる模様としている。
【００１８】
開口部は、スリット状に形成している。
【００１９】
バッグの内面側に裏地を設け、この裏地に、装飾物を外面側から差し込み可能な開口部と掛止手段を設け、かつ、少なくとも、裏地側開口部と掛止手段を含む範囲にわたって、合成皮革、皮革、布などを布などを当接させて補強材とした。
【考案の効果】
【００２０】
この考案では、装飾物をバッグの外面側から差し込んで取り付けるための開口部を形成し、かつ、バッグの内面側には、開口部から差し込まれた装飾物を掛脱自在に掛止する掛止手段を設けているため、装飾物が交換可能であって、しかも、しっかりとバッグに掛止可能である。例えば、満員電車内のような混雑した人混みの中でも、装飾物が抜け落ちる虞れがない。また、装飾物をバッグに固定するための開口部は１つあればよく、１つだけの開口部で、装飾物をしっかりと固定できる。
【００２１】
また、掛止手段が、バッグの内面側に設けられているため、掛止手段が外側から見えず見栄えがよい。また、掛止手段が、外側に突出することにより、邪魔になることがない。
【００２２】
造花をバッグに飾る場合は、開口部からバッグ内面側に向けて、造花の茎部を差しこみ、かつ、茎部の被掛止部を掛止手段に掛止することにより、造花を見栄えよくしっかりと固定することができる。
【００２３】
掛止手段を、バッグ内面側に一端を取り付けた帯状片と、その取り付け側と他端側に設けられた互いに係着する係着部とし、前記帯状片を、装飾物の被掛止部に巻き付けるようにして２つ折りにした状態で、係着部を互いに係着させて装飾物を掛止手段に掛止するものとしたことにより、帯状片と係着部を被掛止部に止めたり、外したりするだけで、簡単に、装飾物が掛脱できる。
【００２４】
前記係着部を一対の押しホックとすれば、押しホックをはめたり外したりするだけで、装飾物が掛脱できる。
【００２５】
バッグの外装材の開口部周辺から掛止手段に向かう所定範囲を、外装材の裏側に合成樹脂をコーティングして補強するコーティング部を設けることにより、開口部周辺の外装材が、差し込まれた装飾物により、しわがよったり、変形しすることを防ぎ、バッグの見栄えを良好に保持することができる。また、コーティングを厚めにすれば、装飾物付近に位置するコーティング部が表側に膨らんで見え、バッグの見栄えをさらによくすることができる。
【００２６】
外装材の、開口部から掛止手段に向かう所定範囲にわたって、前記装飾物が差し込まれる部分にほぼ対応する範囲を縁取るようにライン状の模様を施すことにより、バッグの一部に花びんのように見える部分を設けることとなり、美感を向上できる。
【００２７】
前記ライン状の模様をエンボスによる模様としたことにより、エンボス模様が折り目のようになって、開口部から差し込まれた装飾物により、模様に囲まれた範囲内が自然にふくらみ、この部分があたかも一輪挿しのように立体的に見えて見栄えがよくなる。
【００２８】
前記開口部をスリット状に形成したことにより、開口部が目立たず、バッグの見栄をよくすることができる。また、開口部の面積が必要以上に大きくならないので、開口部付近の強度を大きく下げることがない。
【００２９】
バッグの内面側の裏地に、装飾物を外面側から差し込み可能な開口部と掛止手段を設け、裏地側開口部と掛止手段を含む範囲にわたって、合成皮革などを当接させて補強材としたことにより、外装材に比べ一般的に強度の弱い布製等の裏地において、力の加わりやすい場所の強度を高めることができる。
【考案を実施するための最良の形態】
【００３０】
以下、この考案の実施形態を図面に基づいて詳細に説明する。図１〜６図に示すこの考案の一実施形態に係るバッグ(１)においては、バッグに装飾物として造花(２)が飾られている。造花(２)は、茎部(３)とその先端側の被掛止部(４)を備えている。
【００３１】
バッグ(１)には、造花(２)をバッグの外面側から差し込んで取り付けるための開口部(５)が、バッグの外面側(６)から内面側(７)に貫通するようにして設けられている。開口部(５)は細長いスリット状に形成されている。
【００３２】
図１に示すように、造花の茎部(３)を、開口部(５)を通して、外面側(６)から内面側(７)に差し込む。茎部(３)の先端には、輪状に形成された被掛止部(４)が設けられている。
【００３３】
一方、バッグ内面側(７)には、図３〜図６に示すように、造花(２)を掛脱自在に掛止する掛止手段(８)が設けられている。この掛止手段は、細長い帯状片(９)とこれに取り付けた係着部である押しホック(11)からなる。
【００３４】
帯状片(９)はその一端がバッグ内面側(７)に取り付けられ、この取り付け側と、他端には、それぞれ、互いを係着した状態で保持する係着部、即ち、凹部・凸部一対の押しホック(11)を設けている。帯状片(９)のバッグへの取り付け部側には凸部(12)が固着され、他端には、凹部(13)が設けられている（図３、図５）。
【００３５】
そして、この帯状片(９)は、輪状の被掛止部(４)を巻き付けるようにしてくぐらせ、帯状片(９)を２つ折りにした状態で、押しホックの 凸部(12)と凹部(13)を互いに嵌め合わせて係着させることにより、被掛止部(４)を掛止手段(８)にしっかりと掛止し保持することができる（図４、図６）。
【００３６】
また、造花(２)を交換したいときは、押しホック(11)を外し、帯状片(９)から被掛止部(４)を抜き取るようにして外せば、たやすく、造花(２)を取り外せ、所望の他の装飾物に取り替えることができる。
【００３７】
この係着部は、互いを係着して保持できるものなら何でもよく、例えば面ファスナーが考えられる。この場合、帯状片(９)のバッグへの取り付け側の一端と、他端に互いに係着する面ファスナーを設け、前記と同様の方法で、被掛止部(４)を巻き付けるようにして帯状片(９)を２つ折りとし、面ファスナーを互いに係着させて掛止する。
【００３８】
造花の被掛止部(４)は、輪状に限らず、茎部(３)の先端をＵ字型、釣り針状などとしてもよい。市販の造花を用いる場合は、ワイヤー入りの茎部先端を輪状や釣り針状、Ｕ字状に折り曲げて、掛止手段(８)に掛止する被掛止部(４)を形成する。
【００３９】
装飾物は、実施形態の造花に限らず、生花、ぬいぐるみ、人形等であってもよく、この場合は、先端を、輪状、もしくはＵ字型や釣り針状等に折り曲げたワイヤー等を装飾物に取り付けて、装飾物の被掛止部(４)とすればよい。
【００４０】
バッグ(１)は、バッグ外面を形成する外装材(15)と、裏地(16)を備えている。図１、図３において、外装材(15)の開口部(５)周辺から、掛止手段(８)に向かう所定の範囲、実施形態においては、開口部(５)から掛止手段(８)の向こう側にわたり、外装材(15)の裏側に合成樹脂等をコーティングして補強したコーティング部(17)を設けている。
【００４１】
前記コーティング部(17)は、対応するバッグの外面側(６)を表側に膨らませる程度の厚みとすれば、装飾物付近に位置するコーティング部が表側に膨らんで見え、その部分の美感を向上させることができる。
【００４２】
外装材(15)の開口部(５)周辺から、掛止手段(８)に向かう所定の範囲とは、開口部と、開口部(５)から掛止手段(８)へ向かうライン上のいずれかの位置を含む範囲をいい、開口部から掛止手段(８)が設けられている位置を含む範囲とすることが望ましい。掛止手段(８)の手前側まででもよいが、少なくとも、開口部(５)から掛止手段(８)近傍に至る範囲とする必要がある。
【００４３】
また、外装材(15)においては、開口部(５)から掛止手段(８)に向かう所定範囲、すなわち、開口部(５)と、開口部(５)と掛止手段(８)を結ぶライン上の所望の位置にわたり、被掛止部(４)を差し込む部分を縁取るように、エンボス模様で縁取るようにライン状の模様(18)を設けている。
【００４４】
ライン状の模様(18)は、前記コーティング部と同様、少なくとも開口部(５)から掛止手段(８)近傍に至る範囲に設けられて、あたかも、造花(２)を飾る一輪ざしのような外観を呈する。すなわち、エンボスによる模様(22)の凹凸を折り目のようにして、造花(２)を差し込んだ部分が、自然に外面側(６)にふくらみ、ライン状の模様(18)に囲まれた範囲を一輪ざしの花びんのように立体的に見せる。このように、エンボス加工で形成したエンボスによる模様(22)の凹凸が、ライン状の模様(18)に囲まれた部分の膨らみを形成する。
【００４５】
このライン状の模様(18)で囲まれた範囲の外装材(15)裏に、前記のコーティング部を形成して膨出させれば、この箇所がさらに浮き出し、より立体的に見え見栄えがさらによくなる。
【００４６】
図５、図６はバッグの内面側(７)を示している。裏地(16)にも、造花(２)を外面側(６)から差し込み可能な裏地開口部(19)が設けられ、裏地(16)に掛止手段(８)が設けられている。
【００４７】
そして、少なくとも、裏地開口部(19)と掛止手段(８)を含む範囲、すなわち、裏地開口部(19)と、掛止手段(８)を結ぶライン上であって、裏地開口部(19)と掛止手段(８)を含んだ範囲に、合成皮革、皮革、布等からなる補強材(20)を当接し、接着、熱圧着などの手段で固着している。
【００４８】
裏地開口部(19)と同じ形の開口部(21)が補強材(20)にも設けられ、造花(２)の茎部(３)が、バッグの開口部(５)、裏地開口部(19)、補強材の開口部(21)を貫通して差し込まれる（図３）。そして、補強材(20)上に、帯状片(９)と押しホックの凸部(12)が留め付けられているため、裏地開口部(19)や、帯状片(９)や押しホックの凸部(12)付近の裏地に力が加わっても、裏地が破れたりすることはない。
【００４９】
なお、この考案は、上記実施形態に限定されるものではなく、この考案の範囲内で上記実施形態に多くの修正及び変更を加え得ることは勿論である。
【図面の簡単な説明】
【００５０】
【図１】この考案の一実施形態に係る要部斜視図である。
【図２】同じく、全体斜視図である。
【図３】同じく、造花の掛止動作を説明するための要部断面図である。
【図４】同じく、造花の掛止状態を示す要部縦断面図である。
【図５】同じく、造花の掛止動作を説明するための要部斜視図である。
【図６】同じく、造花の掛止状態を示す要部斜視図である。
【符号の説明】
【００５１】
(１)  バッグ
(２)  造花
(３)  茎部
(４)  被掛止部
(５)  開口部
(６)  外面側
(７)  内面側
(８)  掛止手段
(９)  帯状片
(11)  押しホック
(15)  外装材
(16)  裏地
(17)  コーティング部
(18)  ライン状の模様
(19)  裏地開口部
(20)  補強材
(21)  補強材の開口部
(22)  エンボスによる模様
【図１】
0003101494.tif 000003
【図２】
0003101494.tif 000004
【図３】
0003101494.tif 000005
【図４】
0003101494.tif 000006
【図５】
0003101494.tif 000007
【図６】
0003101494.tif 000008